(57)【特許請求の範囲】
【請求項１】
内部の薬液を吸い上げる吸液芯を備えた液体容器と、液体容器の吸液芯を加熱する発熱体と、マイナスイオンが発生するマイナスイオン発生電極を備えたマイナスイオン発生装置とを有する蒸散器本体に、前記発熱体によって加熱された吸液芯からの薬液と、マイナスイオン発生電極からのマイナスイオンとを蒸散器本体の外へ放出する共通の排気口を設ける一方、前記マイナスイオン発生電極の先端を、吸液芯の先端より下方に位置させたことを特徴とする加熱蒸散器。
【請求項２】
マイナスイオン発生電極からのマイナスイオンを外へ放出するマイナスイオン排気口を、発熱体を取囲むように複数設けることを特徴とする請求項１記載の加熱蒸散器。
【請求項３】
排気口は、開口径を１０ｍｍ以下とするか、又は格子あるいは桟を備えるようにすることを特徴とする請求項１又は２記載の加熱蒸散器。
【請求項４】
マイナスイオン発生電極の先端は、蒸散器本体の内壁面から５ｍｍ以上離れた位置に配置されていることを特徴とする請求項１又は２記載の加熱蒸散器。
【請求項５】
蒸散器本体に、内部の薬液を吸い上げる吸液芯を備えた液体容器と、液体容器の吸液芯を加熱する発熱体と、前記蒸散器本体に直接設けられ外へ突出した電源プラグと、マイナスイオンが発生するマイナスイオン発生電極を備えたマイナスイオン発生装置とを有し、マイナスイオン発生装置は前記蒸散器本体の内部で、前記マイナスイオン発生電極の先端が吸液芯の先端より下方に位置すると共に前記電源プラグと接近した上方位置に配置されていることを特徴とする加熱蒸散器。
【発明の詳細な説明】
【０００１】
【発明の属する技術分野】
この発明は、薬剤等の液体を気化、蒸散させる加熱蒸散器に関する。
【０００２】
【従来の技術】
従来、部屋の消臭や芳香等を行なう場合、例えば、加熱蒸散器が知られている。加熱蒸散器の概要は、内部にヒータ等の発熱体が設けられた蒸散器本体に、内部の薬液を吸い上げる吸液芯を備えた液体容器がセットされた構造となっていて、前記吸液芯が発熱体によって加熱されることで、薬液の気化、蒸散が促がされ、気化した薬液は蒸散器本体の上方に設けられた蒸散口から外部へ拡散する構造となっている（特許文献１参照）。
【０００３】
【特許文献１】
特開平８−１４８号公報
【０００４】
【発明が解決しようとする課題】
加熱蒸散器は、蒸散口から外部へ拡散される薬液によって部屋の消臭や芳香を行なうものであるが、香りの機能は気分をリラックスさせる要素を併せ持ち、特に、ストレスの多い現代社会にあっては、精神面の安定、リラックスを主目的として使用するケースが増えている。
【０００５】
そこで、この発明は、従来と同様に薬剤の種類に応じて部屋の消臭や芳香等を得られることに加えて、健康面においても大変好ましい加熱蒸散器を提供することを目的としている。
【０００６】
【課題を解決するための手段】
前記目的を達成するために、この発明の請求項１にあっては、内部の薬液を吸い上げる吸液芯を備えた液体容器と、液体容器の吸液芯を加熱する発熱体と、マイナスイオンが発生するマイナスイオン発生電極を備えたマイナスイオン発生装置とを有する蒸散器本体に、前記発熱体によって加熱された吸液芯からの薬液と、マイナスイオン発生電極からのマイナスイオンとを蒸散器本体の外へ放出する共通の排気口を設ける一方、前記マイナスイオン発生電極の先端を、吸液芯の先端より下方に位置させることを特徴とする。
【０００７】
これにより、発熱体によって吸液芯が加熱されることで、気化、蒸散が促された薬液は、上方の排気口から外へ拡散される。この時、マイナスイオン発生電極からのマイナスイオンは、共通の排気口によって薬液の気化、蒸散による上昇気流の流れに乗ることで、効率よく広範囲に放出拡散される。この結果、身体に良いとされるマイナスイオンを効率的に浴びることができるようになる。
また、例えば、誤って排気口から指を挿入したとしても、直接、マイナスイオン発生電極に接触する等の事故を防ぐことが可能となる。
【００１０】
また、この発明の請求項２にあっては、マイナスイオン発生電極からのマイナスイオンを外へ放出するマイナスイオン排気口を、発熱体を取囲むように複数設けることを特徴とする。
【００１１】
これにより、発熱体によって気化、蒸散する薬液と、マイナスイオン発生電極からのマイナスイオンとを、蒸散器本体内に滞留させることなく広範囲に円滑に放出することが可能となる。
【００１４】
また、この発明の請求項３にあっては、排気口の、開口径を１０ｍｍ以下とするか、又は排気口に格子あるいは桟を備えるようにすることを特徴とする。
【００１５】
これにより、指の挿入が阻止され、高い安全性が確保される。
【００１６】
また、この発明の請求項４にあっては、マイナスイオン発生電極の先端が、蒸散器本体の内壁面から５ｍｍ以上離れた位置に配置されていることを特徴とする。
【００１７】
これにより、蒸散器本体が倒れて薬液が内壁面内側に漏れて溜まったとしても、マイナスイオン発生電極がその液面に触れることはなく、絶縁異常を防げるようになる。
【００１８】
また、この発明の請求項５にあっては、蒸散器本体に、内部の薬液を吸い上げる吸液芯を備えた液体容器と、液体容器の吸液芯を加熱する発熱体と、前記蒸散器本体に直接設けられ外に突出した電源プラグと、マイナスイオンが発生するマイナスイオン発生電極を備えたマイナスイオン発生装置とを有し、マイナスイオン発生装置は、蒸散器本体の内部で、前記マイナスイオン発生電極の先端が吸液芯の先端より下方に位置すると共に前記電源プラグと接近した上方位置に配置されていることを特徴とする。
【００１９】
これにより、電源プラグをコンセントに差し込むことで発熱体及びマイナスイオン発生装置の電源が確保される。この時、マイナスイオン発生装置の重心は、支持側となる電源プラグ側に寄るため、大きな回転モーメントは起こらず、蒸散器本体の安定した支持状態が得られる。
【００２２】
【発明の実施の形態】
以下、図１乃至図６に基づきこの発明の実施の形態について具体的に説明する。
【００２３】
図１は、この発明にかかる加熱蒸散器１を分解した概要斜視図を示している。
【００２４】
蒸散器本体１の本体ケース３は、合成樹脂の材質で作られており、本体前ケース３ａと本体後ケース３ｂとに分割可能となっている。本体ケース３内には取付部材５が設けられ、本体前ケース３ａと本体後ケース３ｂと取付部材５の三者は、取付部材５に設けられた左右一対の貫通孔７，７に、本体前ケース３ａから延長されたねじ受けボス部９が貫通し、そのねじ受けボス部９に、本体後ケース３ｂ側から挿入される締結ねじ１１によって三者一体に組付けられて構造となっている。
【００２５】
蒸散器本体１の本体ケース３には、上方中央部位に上下に貫通した丸孔状の排気口１３が、下部には正面となる本体前ケース３ａ側からみて左右両側にスリット状の空気取入口１５がそれぞれ設けられている。
【００２６】
排気口１３は、本体前ケース３ａ及び本体後ケース３ｂのそれぞれに半月状の切欠部が設けられることで、各両ケース３ａ，３ｂが一体に組合された時に前記半月状の切欠部によって丸孔状に形成されるようになっている。排気口１３の開口面積は操作レバー１７による上下のスライド制御板１９によって制御可能となっていて、最大開口時の開口径は１０ｍｍ以下に設定されている。これは、排気口１３から誤まって内部へ指が挿入されるのを防ぐためである。
【００２７】
この場合、排気口１３の開口径を１０ｍｍ以上とする場合には、少なくとも排気口１３に格子又は桟を設け、指の挿入を阻止する手段を設けるようにすることが望ましい。
【００２８】
空気取入口１５は、総開口面積が排気口１３の開口面積より大きく設定され、空気取入口１５からの上方の排気口１３へ向かう上昇気流が確実に確保されるようになっている。
【００２９】
取付部材５は、後述する液体容器２１を着脱自在に装着する取付手段を兼ねる構造となっていて、上部には加熱部２３が、下部には電源プラグ２５がそれぞれ設けられている。
【００３０】
加熱部２３は、取付けビス２７により取付けられると共に絶縁材によって取囲まれた加熱制御部２９と発熱体３１とから成っている。発熱体３１は図２に示すようにリング状に形成されたＰＴＣヒータとなっていて前記排気口１３の中心軸線Ｘ上に配置されると共に、前気加熱制御部２９により設定された温度に制御管理されるようになっている。
【００３１】
電源プラグ２５は、図４に示すように前記発熱体３１と後述するマイナスイオン発生装置３３と電気的に接続し、本体後ケース３ｂの内部から外へ突出している。
【００３２】
したがって、電源プラグ２５を図外のコンセントに差し込むことで、取付部材５に設けられたパイロットランプ３５が点燈するようになると共に前記発熱体３１に熱が与えられるようになっている。
【００３３】
液体容器２１は、内部の薬液３７を吸い上げる上下に長い棒状の吸液芯３９を備え、熱に強い材質で作られている。
【００３４】
なお、吸液芯３９を支持する吸液栓４１には図１に示すように複数の連通口４３が設けられている。吸液芯３９は、販売時にあってはキャップ取付部４５に装着されたキャップ４７によってカバーされ、本体ケース３に装着する時はキャップ４７を取外して使用される。
【００３５】
吸液芯３９は取付部材５に設けられた吸液芯挿入孔４９を貫通し、前記発熱体３１によって取囲まれた状態で、発熱体３１から若干突出する長さに設定されている。この時、吸液芯３９は、図２に示すように吸液芯挿入孔４９の周縁から上方に立上がる吸液芯位置決めガイド５１によって前記排気口１３の中心線Ｘ上に位置決めされるようになっている。
【００３６】
キャップ取付部４５は、吸液芯挿入孔４９の周縁から下方に垂設されたキャップ取付部位決めガイド５３によって前記排気口１３の中心軸Ｘ上に保持されるようになっている。
【００３７】
液体容器２１は、正面に楕円状に形成された嵌合突起部５５が設けられ、装着時にこの嵌合突起部５５が本体前ケース３ａを強制的に押広げながら、進入していき、その本体前ケース３ａに設けられた嵌合孔５７と嵌合し合う時、元に戻る本体前ケース３ａの復帰力によって確実に支持されるようになっている。
【００３８】
マイナスイオン発生装置３３は、電子放射式となるマイナスイオン発生電極５９を有している。この場合、コロナ放電式のタイプであっても可能である。マイナスイオン発生電極５９の先端は、図２に示すように前記吸液芯３９の先端より低い位置に設定され、指等が内部へ誤って挿入された時に、直接マイナスイオン発生電極５９に触れることがないよう、前記排気口１３の開口径を小さくする手段とあわせて二重の安全対策が施された構造となっている。
【００３９】
マイナスイオン発生電極５９は、本体前ケース３の内壁面からの寸法ｄが５ｍｍ以上離れた形状となっている。これは、蒸散器本体１が転倒した時に漏れた薬液３７が内壁面に溜り、その液面に触れることない配置位置となっている。
【００４０】
マイナスイオン発生電極５９はマイナスイオンを発生する所から図６に示すようにマイナスイオン排気口６１と対応する部位にマイナスイオン発生電極５９を複数に分割する手段としてもよい。あるいは、図３鎖線で示すように、発熱体３１を取囲むようにマイナスイオン排気口６３を設け、そのマイナスイオン排気口６３と対応する部位に独立したマイナスイオン発生電極（図示していない）を設ける手段とすることで、広範囲にわたってマイナスイオンの放出が行えるようになる。マイナスイオン発生電極３３は、図４に示すように本体ケース３内で、前記電源プラグ２５と接近し合う真上の内壁面に固定支持されている。これにより。電源ソケット２５を図外のコンセントに差し込んだ時に蒸散器本体１の支持手段となる前記電源ソケット２５側に重心位置を寄せることが可能となり、外れようとする回転モーメントＭを極力小さく抑えることが可能となる。また、電源ソケット２５から最短距離で電源の供給が可能となり、コード配索の面で大変好ましいものとなる。
【００４１】
このように構成された加熱蒸散器によれば、電源プラグ２５を図外のコンセントに差し込むことで、安定した支持状態が得られると共に発熱体３１によって吸液芯３９に熱が与えられ、気化、蒸散した薬液３７は、排気口１３から外へ拡散される。
【００４２】
この時、マイナスイオン発生電極３９からのマイナスイオンは、共通の排気口１３によって薬液３７の気化による上昇気流の流れに乗ることで、効率よく広範囲にわたって放出拡散されるようになる。この結果、身体に良いとされるマイナスイオンが部屋の内に効率的に放出されるようになる。
【００４３】
なお、この実施形態にあっては、マイナスイオンを発生させるのにマイナスイオン発生装置３３を用いる手段となっているが、例えば、本体ケース３及び取付部材５を合成樹脂材によって成形する時に、例えば、マイナスイオンが発生するといわれるトルマリン等のマイナスイオン発材料を粉末として一体に混合成形する手段としたり、あるいは、表面全体をマイナスイオン発生材料でコーティングすることで、器具全体からマイナスイオンを発生させる等の手段を採ることも可能である。
【００４４】
また、薬剤は消臭剤に限定されるものでなく、用途に応じた薬剤を使用することができる。
【００４５】
【発明の効果】
以上、説明したように、この発明の請求項１によれば、気化された薬液は共通となる排気口から外へ放出されることで、薬剤の種類に応じて部屋の消臭及び芳香等が得られると共に、マイナスイオン発生電極からのマイナスイオンは、薬液の気化、蒸散による上昇気流の流れに乗ることが可能となり、効率よく広範囲にわたって外へ放出拡散することができる。この結果、身体に良いとされるマイナスイオンが部屋の内に効率的に放出される。
【００４６】
また、誤まって排気口から指を挿入したとしても、直接、マイナスイオン発生電極に接触する等の事故を防ぐことができる。
【００４７】
また、この発生の請求項２によれば、発熱体によって気化、蒸散する薬液と、マイナスイオン発生電極からのマイナスイオンとを、蒸散器本体内に滞留させることなく、円滑に広範囲にわたって効率よく外へ放出することができる。
【００４９】
また、この発明の請求項３によれば、指の挿入が阻止されるため、高い安全性を確保することができる。
【００５０】
また、この発明の請求項４によれば、転倒時に漏れた薬液が溜ったとしても、マイナスイオン発生電極が液面に触れることはなく、絶縁異常を防ぐことができる。
【００５１】
また、この発明の請求項５によれば、マイナスイオン発生装置の重心を支持手段を兼ねる電源プラグ側に寄せることができるため、外れようとする大きな回転モーメントは起こらず、蒸散器本体の安定した支持状態が得られる。
【図面の簡単な説明】
【図１】この発明にかかる加熱蒸散器の分解斜視図。
【図２】加熱蒸散器の概要切断説明図。
【図３】加熱蒸散器の概要斜視図。
【図４】液体容器を取外した本体ケースの概要切断面図。
【図５】本体後ケースを後方からみた概要斜視図。
【図６】マイナスイオン発生電極を複数に分割した概要説明図。
【符号の説明】
１…蒸散器本体
５…取付部材
１３…排気口
２１…液体容器
２５…電源プラグ
３１…発熱体
３３…マイナスイオン発生装置
３７…薬液
３９…吸液芯
５９…マイナスイオン発生電極
【図１】
0003725858.tif 000002
【図２】
0003725858.tif 000003
【図３】
0003725858.tif 000004
【図４】
0003725858.tif 000005
【図５】
0003725858.tif 000006
【図６】
0003725858.tif 000007